(57)【特許請求の範囲】
【請求項１】
遊技島に固定される外枠に対して開閉自在に設置される内枠と、
該内枠に設けられ、遊技盤を支持する遊技盤支持枠と、
前記内枠又は前記遊技盤支持枠に設けられた機構盤と、
前記遊技盤支持枠の裏面と前記機構盤との隙間を通って下皿側から前記遊技盤側へ異物が侵入するのを阻止するために前記遊技盤支持枠の裏面に立設される異物阻止突条と、
パチンコ遊技機を構成する各種装置間の信号送受や各種装置への動作電力供給のためにパチンコ遊技機の裏面に敷設される配線と、
を備えるパチンコ遊技機において、
前記異物阻止突条に、前記配線を前記遊技盤側から前記下皿側まで挿通可能な配線通路が複数形成されており、
前記配線は、前記配線通路に挿通されて前記異物阻止突条を縫う様に前記遊技盤側及び前記下皿側に沿って敷設されており、
前記配線通路は、鉛直方向に対して斜めに形成されている
ことを特徴とするパチンコ遊技機。
【請求項２】
前記異物阻止突条の前記遊技盤側又は前記下皿側の側壁に、前記配線を嵌め込むことができる溝が形成されており、
前記配線は、前記遊技盤側又は前記下皿側にて前記溝内に敷設されている
ことを特徴とする請求項１に記載のパチンコ遊技機。
【請求項３】
前記配線の敷設経路が稲妻形になる様に、鉛直方向に対して右上がりの配線通路と左上がりの配線通路とが交互に形成されている
ことを特徴とする請求項１又は２に記載のパチンコ遊技機。
【請求項４】
前記異物阻止突条及び当該異物阻止突条が立設されている近傍部分は、前記遊技盤支持枠に対して着脱自在に構成されている
ことを特徴とする請求項１乃至３の何れかに記載のパチンコ遊技機。
【発明の詳細な説明】
【０００１】
【発明の属する技術分野】
本発明は、パチンコ遊技機に関し、特に、遊技盤裏面と機構盤との僅かな隙間にピアノ線や樹脂板等の異物を挿入して役物等を誤動作させる不正行為を防止するための機構を備えるパチンコ遊技機に関する。
【０００２】
【従来の技術、及び発明が解決しようとする課題】
従来、遊技盤裏面と機構盤との僅かな隙間にピアノ線や樹脂板等の異物を挿入して役物等を誤動作させる不正行為を防止するため、パチンコ遊技機本体の裏面（詳しくは、内枠に設けられている遊技盤支持枠）に、機構盤側に突出する突条を備えるパチンコ遊技機（実公平７−４９９８２号公報参照）が提案されている。このパチンコ遊技機によれば、下皿からピアノ線や樹脂板等の異物を挿入して役物等を誤動作させようとしても、突条によって進入を阻止されるので、この種の不正行為を略完全に防止することができる。
【０００３】
ところで、パチンコ遊技機には、多数の装置が設置されており、信号送受や電力供給のための多数の配線が敷設されている。例えば、パチンコ球発射装置は、パチンコ遊技機の裏面側から見て、パチンコ遊技機本体の左下部分に設置されており、機構盤の右下部分に設置されている払出制御基板から動作電力の供給を受けている。具体的には、払出制御基板からパチンコ球発射装置へ動作電力を供給するための電力供給用配線は、機構盤に設置されている払出制御基板から、機構盤右端の回動軸近傍を経由してパチンコ遊技機本体裏面の右下部分に至り、そこからパチンコ遊技機本体裏面の左下部分に設置されているパチンコ球発射装置まで敷設されている。この様な経路で敷設されているので、電力供給用配線は、機構盤の開閉の邪魔にならない。このため、電力供給用配線を外すことなく機構盤を開いて点検，修理，交換作業を行うことができる。従って、点検，修理，交換作業に要する手間を削減することができると共に、電力供給用配線の損傷を防止することができる。
【０００４】
しかし、この様な経路で敷設されると、電力供給用配線は、必然的に非常に長くなる。同様に、信号送受用配線の中にも、パチンコ遊技機の裏面下方の右端から左端まで敷設されなければならないものがある。このため、敷設された電力供給用配線や信号送受用配線が垂れ下がらない様にする技術、敷設された電力供給用配線や信号送受用配線が損傷しない様にする技術、できるだけ場所を取らずに電力供給用配線や信号送受用配線を敷設する技術等が求められている。
【０００５】
そこで、本発明は、遊技盤裏面と機構盤との僅かな隙間にピアノ線や樹脂板等の異物を挿入して役物等を誤動作させる不正行為を防止するための異物阻止突条を備えるパチンコ遊技機において、電力供給用配線や信号送受用配線を好適に敷設することができる様にすることを目的とする。
【０００６】
【０００７】
【０００８】
【０００９】
【００１０】
【００１１】
【００１２】
【課題を解決するための手段、及び発明の効果】
この様な目的を達成するため、本発明にかかるパチンコ遊技機は、請求項１に記載されている様に、遊技島に固定される外枠に対して開閉自在に設置される内枠と、該内枠に設けられ、遊技盤を支持する遊技盤支持枠と、前記内枠又は前記遊技盤支持枠に設けられた機構盤と、前記遊技盤支持枠の裏面と前記機構盤との隙間を通って下皿側から前記遊技盤側へ異物が侵入するのを阻止するために前記遊技盤支持枠の裏面に立設される異物阻止突条と、パチンコ遊技機を構成する各種装置間の信号送受や各種装置への動作電力供給のためにパチンコ遊技機の裏面に敷設される配線と、を備えるパチンコ遊技機において、前記異物阻止突条に、前記配線を前記遊技盤側から前記下皿側まで挿通可能な配線通路が複数形成されており、前記配線は、前記配線通路に挿通されて前記異物阻止突条を縫う様に前記遊技盤側及び前記下皿側に沿って敷設されており、前記配線通路は、鉛直方向に対して斜めに形成されていることを特徴とする。
【００１３】
本発明にかかるパチンコ遊技機では、配線は、異物阻止突条に形成されている配線通路に挿通されて異物阻止突条を縫う様に敷設されるので、配線係止部材を設置する必要がない。
【００１４】
又、本発明にかかるパチンコ遊技機は、請求項２に記載されている様に、前記異物阻止突条の前記遊技盤側又は前記下皿側の側壁に、前記配線を嵌め込むことができる溝が形成されており、前記配線は、前記遊技盤側又は前記下皿側にて前記溝内に敷設されていると更に良い。配線が溝内に敷設されることによって配線の露出面積が小さくなれば、下皿側（下側）からピアノ線や樹脂板等の異物が挿入されても、遊技盤側（上側）からパチンコ球等が落下してきても、配線と接触することは殆どないので、配線が損傷し難い。
【００１５】
又、本発明にかかるパチンコ遊技機において、配線通路は、鉛直方向に対して斜めに形成されている。配線通路が鉛直方向に対して斜めに形成されていれば、ピアノ線等の細い異物であっても通過することは困難である。更に、請求項３に記載されている様に、前記配線の敷設経路が稲妻形になる様に、鉛直方向に対して右上がりの配線通路と左上がりの配線通路とが交互に形成されていると良い。配線の敷設経路が稲妻形であれば、敷設経路が矩形である場合に比べて、短くなるので、敷設される配線を短くすることができる。
【００１６】
又、請求項４に記載されている様に、本発明にかかるパチンコ遊技機において、前記異物阻止突条及び当該異物阻止突条が立設されている近傍部分は、前記遊技盤支持枠に対して着脱自在に構成されていると更に良い。配線の数や太さはパチンコ遊技機毎に様々であるが、異物阻止突条及び異物阻止突条が立設されている近傍部分だけをパチンコ遊技機に応じて交換すれば、遊技盤支持枠の残りの部分は様々なパチンコ遊技機において同一のものを使用することができる。このため、量産によってパチンコ遊技機の生産コストを削減することができる。
【００１７】
尚、本発明にかかるパチンコ遊技機において、内枠と遊技盤支持枠とは、別体形成されていても良いし、合成樹脂等により一体形成されていても良い。
【００１８】
【発明の実施の形態】
以下、本発明の一実施例を図面に基づいて説明する。
まず、本実施例のパチンコ遊技機の構成について説明する。
図１は、本実施例のパチンコ遊技機の内枠に設置されている遊技盤支持枠をパチンコ遊技機の裏面側から見た正面図である。図２は、遊技盤支持枠に着脱自在に設置されている板部材の拡大斜視図である。
【００１９】
本実施例のパチンコ遊技機は、遊技島に固定される外枠に対して開閉自在に設置される内枠（図示せず）に設けられ、遊技盤（図示せず）を支持する遊技盤支持枠１と、遊技盤支持枠１に対して開閉自在に軸支される機構盤（図示せず）と、を備える。尚、外枠，内枠，機構盤は従来と同様の構成であるので、説明を省略する。
【００２０】
遊技盤支持枠１は、遊技盤を支持するための遊技盤支持領域Ａの下部に、板部材１０を備えている。
板部材１０には、遊技盤支持枠１の裏面と機構盤との隙間を通って下皿（図示せず）側から遊技盤側（遊技盤支持領域Ａ側）へ異物が侵入するのを阻止するための異物阻止突条１１が立設されており、異物阻止突条１１に沿って、パチンコ遊技機を構成するパチンコ球発射装置３，払出制御基板（図示せず），音声制御基板（図示せず）等の各種装置間の信号送受や各種装置への動作電力供給のためにパチンコ遊技機の裏面に敷設される配線５を係止するための配線係止部材１３が設けられている。そして、配線５は、配線係止部材１３に係止されることによって、異物阻止突条１１に沿って敷設されている。
【００２１】
又、板部材１０は、遊技盤支持枠１に複数の螺子１７で固定されており、螺子１７を外すことで、遊技盤支持枠１から取り外すことができる様に構成されている。即ち、異物阻止突条１１及び異物阻止突条１１が立設されている近傍部分が、遊技盤支持枠１に対して着脱自在に構成されているのである。
【００２２】
尚、遊技盤支持枠１には、この他、機構盤を開閉自在に軸支するための軸支部材２１，２２等が設置されているが、説明は省略する。
続いて、本実施例のパチンコ遊技機の効果について説明する。
本実施例のパチンコ遊技機では、パチンコ球発射装置３，払出制御基板，音声制御基板等の各種装置間の信号送受や各種装置への動作電力供給のためにパチンコ遊技機の裏面に敷設される配線５は、配線係止部材１３に係止されることによって、異物阻止突条１１の遊技盤支持領域Ａ側（上側）に沿って敷設されているので、配線５は、異物阻止突条１１によって下皿側（下側）から支えられる格好となる。従って、仮に、配線係止部材１３による係止作用が不十分であっても、異物阻止突条１１よりも下皿側（下側）へ配線５が垂れ下がることは殆どない。
【００２３】
又、仮に、下皿側（下側）からピアノ線や樹脂板等の異物が挿入されても、異物阻止突条１１の遊技盤支持領域Ａ側（上側）に沿って敷設されている配線５に異物が接触することはないので、配線５が損傷することはない。
又、板部材１０を遊技盤支持枠１から取り外して交換することができるので、配線５の数や太さに応じて、最適な異物阻止突条１１及び配線係止部材１３を有する板部材１０を交換すれば、遊技盤支持枠１の残りの部分は様々なパチンコ遊技機において同一のものを使用することができる。このため、量産によってパチンコ遊技機の生産コストを削減することができる。
【００２４】
以上、本発明の一実施例について説明したが、本発明は前述した実施例に何等限定されるものではなく、更に種々の態様において実施しても良いことはもちろんである。
例えば、実施例では、配線係止部材１３は異物阻止突条１１の遊技盤支持領域Ａ側（上側）に沿って設けられており、配線５は、異物阻止突条１１によって下皿側（下側）から支えられる格好となっているが、配線係止部材１３は、異物阻止突条１１の下皿側（下側）に沿って設けられていても良い。この様に構成されている場合には、配線５は、異物阻止突条１１の下皿側（下側）に沿って敷設されることになる。このため、配線５は、異物阻止突条１１によって遊技盤側（上側）から覆われる格好となる。従って、仮に、遊技盤支持領域Ａ側（上側）からパチンコ球等が落下してきても、異物阻止突条１１の下皿側（下側）に沿って敷設されている配線５にパチンコ球が衝突することはないので、配線５が損傷することはない。
【００２５】
又、異物阻止突条１１を略平行に２本設け、２本の異物阻止突条１１の隙間に配線５を挿入して係止する様に構成されていても良い。この様に構成されている場合には、配線５は、２本の異物阻止突条１１によって下皿側（下側）から支えられると共に遊技盤支持領域Ａ側（上側）から覆われる格好となる。このため、配線５が垂れ下がることはない。又、下皿側（下側）からピアノ線や樹脂板等の異物が挿入されても、遊技盤支持領域Ａ側（上側）からパチンコ球等が落下してきても、配線５と接触することはないので、配線５が損傷することはない。更に、２本の異物阻止突条１１の隙間間隔を配線５の太さに合わせれば、配線５をしっかりと係止することができるので、配線係止部材１３を設置する必要がない。
【００２６】
又、図３（ａ）に示す様に、異物阻止突条１１に、配線５（図示せず）を遊技盤支持領域Ａ側（上側）から下皿側（下側）まで挿通可能な配線通路１１ａを形成し、配線通路１１ａを通って異物阻止突条１１を縫う様に配線５を敷設しても良い。この様に構成されている場合には、異物阻止突条１１を縫う様に配線５が敷設され、配線５がしっかりと係止されるので、配線係止部材１３を設置する必要がない。尚、配線通路１１ａは、鉛直方向に形成されていても良いが、鉛直方向に形成されていると、ピアノ線等の細い異物が配線通路１１ａを下皿側（下側）から遊技盤支持領域Ａ側（上側）へ通過してしまうおそれがあるので、図３（ａ）に示す様に、配線通路１１ａは、鉛直方向に対して斜めに形成されている方が好ましい。配線通路１１ａが鉛直方向に対して斜めに形成されていれば、ピアノ線等の細い異物であっても通過することは困難である。又、図３（ａ）に示す様に、鉛直方向に対して右上がりの配線通路と左上がりの配線通路とが交互に形成されていれば、配線の敷設経路が稲妻形になり、敷設される配線を短くすることができる。
【００２７】
又、異物阻止突条１１に配線通路１１ａが形成されている場合、更に、図３（ｂ），（ｃ）に示す様に、異物阻止突条１１の遊技盤支持領域Ａ側（上側）又は下皿側（下側）の側壁に、配線５を嵌め込むことができる溝１１ｂを形成し、配線５を溝１１ｂ内に敷設すると更に良い。尚、図３（ｃ）は配線５が溝１１ｂ内に敷設されることによって配線５の露出面積が小さくなれば、下皿側（下側）からピアノ線や樹脂板等の異物が挿入されても、遊技盤支持領域Ａ側（上側）からパチンコ球等が落下してきても、配線５と接触することは殆どないので、配線５が損傷し難い。又、配線５が見え難くなるので、パチンコ遊技機の美観が損なわれることを防止することもできる。
【００２８】
又、パチンコ遊技機は、内枠と遊技盤支持枠とが別体形成され、木螺子や接着剤等で遊技盤支持枠を内枠に固定する様に構成されているものであっても良いし、合成樹脂等により内枠と遊技盤支持枠とが一体形成されているものであっても良い。
【図面の簡単な説明】
【図１】  実施例のパチンコ遊技機の内枠に設置されている遊技盤支持枠をパチンコ遊技機の裏面側から見た正面図である。
【図２】  遊技盤支持枠に着脱自在に設置されている板部材の拡大斜視図である。
【図３】  異物阻止突条の変形例を説明するための板部材の斜視図（ａ），（ｂ）及び斜視図（ｂ）における異物阻止突条１１の拡大図（ｃ）である。
【符号の説明】
１…遊技盤支持枠    ３…パチンコ球発射装置    ５…配線    １０…板部材
１１…異物阻止突条    １１ａ…配線通路    １１ｂ…溝    １３…配線係止部材    １７…螺子    ２１，２２…軸支部材    Ａ…遊技盤支持領域。
【図１】
0004565686.tif 000002
【図２】
0004565686.tif 000003
【図３】
0004565686.tif 000004